(57)【要約】【課題】接続用コードを備えた端末装置を、ゲーム機本体やコンピュータ本体から接続用コードを取り外さなくても収納、保管することができる収納容器を提供する。【解決手段】コード１５ｃを備えた端末装置１５の収納容器１０であって、端末装置１５の大きさよりも大きいケース１１と、上蓋１２とを備え、ケース１１と上蓋１２には、コード１５ｃを通す切り欠き１７と切り欠き１９をそれぞれ有する。【選択図】図１
0003119113.tif 000002
【実用新案登録請求の範囲】
【請求項１】
コードを備えた端末装置の収納容器であって、
前記端末装置の大きさよりも大きいケースと、上蓋を備え、
前記ケースと前記上蓋には、前記コードを通す切り欠きを有することを特徴とする収納容器。  
【請求項２】
前記ケース内に収まる前記端末装置を固定する固定手段を備えることを特徴とする請求項１記載の収納容器。
【請求項３】
前記固定手段の少なくとも１つと前記ケースとの間には、前記コードが通る程度の隙間があくことを特徴とする請求項２記載の収納容器。    
【請求項４】
前記端末装置は、ゲーム機に接続されるコントローラであることを特徴とする請求項１〜３のいずれか１項に記載の収納容器。
【請求項５】
前記端末装置は、コンピュータに接続されるマウスであることを特徴とする請求項１〜３のいずれか１項に記載の収納容器。
【請求項６】
前記端末装置は、コンピュータに接続されるキーボードであることを特徴とする請求項１〜３のいずれか１項に記載の収納容器。
【考案の詳細な説明】
【技術分野】
【０００１】
この考案は、収納容器に関し、特に、接続用コードを有する端末装置の収納容器に関する。
【背景技術】
【０００２】
従来、ゲーム機用のコントローラや、キーボード、マウス等のゲーム機やコンピュータに接続して用いる端末装置には接続用のコードが付いている。それらの端末装置を商品として販売する場合には、接続用のコードごと容器に入れられて、店頭に置かれている。それらの端末装置を購入した利用者は、それらの端末装置を容器から取りだし、コンピュータ本体に接続用コードで接続し、利用している。ゲーム機用のコントローラや、キーボード、マウス等は、使用しないときには、埃等がかぶらないように、保管するようにするとよいが、購入したときに入れていた容器にしまうには、ゲーム機やコンピュータから接続用コードを取り外して入れなければならなかった。そのため、端末装置の接続用コードの取り外しという作業が必要であった。
【０００３】
また、電子機器を埃から保護する容器として、特許文献１に開示されるものがあるが、これは、接続用コードを有しない携帯用電子機器用の保護容器に関するものである。そのため、接続用コードを有する端末装置用としてはその容器を応用することはできなかった。
【特許文献１】特開２００５−１３５４２５号公報
【考案の開示】
【考案が解決しようとする課題】
【０００４】
従来の容器にゲーム機用のコントローラや、キーボード、マウスなどの接続用のコードを備えた端末装置を収納し、保管するには、接続用のコードをゲーム機本体やコンピュータ本体から取り外す必要があり、その作業に手数がかかるという問題点があった。
【０００５】
本考案の目的は、上記の課題に鑑み、接続用コードを備えた端末装置を、ゲーム機本体やコンピュータ本体から接続用コードを取り外さなくても収納し、保管することができる収納容器を提供することにある。
【課題を解決するための手段】
【０００６】
本考案に係る収納容器は、上記の目的を達成するため、次のように構成される。
【０００７】
第１の収納容器（請求項１に対応）は、コードを備えた端末装置の収納容器であって、端末装置の大きさよりも大きいケースと、上蓋を備え、ケースと上蓋には、コードを通す切り欠きを有することで特徴づけられる。
【０００８】
第１の収納容器によれば、コードを備えた端末装置の収納容器であって、端末装置の大きさよりも大きいケースと、上蓋を備え、ケースと上蓋には、コードを通す切り欠きを有するため、接続用コードを備えた端末装置を収納容器内に収納するときに、ケースに設けられた切り欠きと上蓋に設けられた切り欠きに接続用コードを通して収納することができるので、端末装置の接続用コードをゲーム機本体やコンピュータ本体から取り外す必要がない。そのため、接続用コードをゲーム機本体やコンピュータ本体に接続したまま、埃がかぶらないように、端末装置を収納容器に収納し、保管することができる。
【０００９】
第２の収納容器（請求項２に対応）は、上記の構成において、好ましくはケース内に収まる端末装置を固定する固定手段を備えることで特徴づけられる。
【００１０】
第３の収納容器（請求項３に対応）は、上記の構成において、好ましくは固定手段の少なくとも１つとケースとの間には、コードが通る程度の隙間があくことで特徴づけられる。
【００１１】
第４の収納容器（請求項４に対応）は、上記の構成において、好ましくは端末装置は、ゲーム機に接続されるコントローラであることで特徴づけられる。
【００１２】
第５の収納容器（請求項５に対応）は、上記の構成において、好ましくは端末装置は、コンピュータに接続されるマウスであることで特徴づけられる。
【００１３】
第６の収納容器（請求項６に対応）は、上記の構成において、好ましくは端末装置は、コンピュータに接続されるキーボードであることで特徴づけられる。
【考案の効果】
【００１４】
本考案によれば、コードを備えた端末装置の収納容器であって、端末装置の大きさよりも大きいケースと、上蓋を備え、ケースと上蓋には、コードを通す切り欠きを有するため、接続用コードを備えた端末装置を収納容器内に収納するときに、ケースに設けられた切り欠きと上蓋に設けられた切り欠きに接続用コードを通して収納することができるので、端末装置の接続用コードをゲーム機本体やコンピュータ本体から取り外す必要がない。そのため、接続用コードをゲーム機本体やコンピュータ本体に接続したまま、埃がかぶらないように、端末装置を収納容器に収納し、保管することができる。
また、本考案によれば、ケース内に収まる端末装置を固定する固定手段を備えるため端末装置を収納容器内で安定に収納し、保管することができる。
さらに、固定手段の少なくとも１つとケースとの間には、コードが通る程度の隙間があくため、端末装置からの接続用コードをその隙間を通してケースの切り欠きと上蓋の切り欠きから収納容器の外部に出すことができ、端末装置を容易にまた、コードに負荷をかけずに収納容器に収納することができる。
また、本考案に係る収納容器は、ゲーム用コントローラ等の商品を販売展示するためのディスプレイ用容器であって、加えて当該商品ディスプレイ用の容器をユーザ使用の際の保管用収納容器としても使用することができる。
【考案を実施するための最良の形態】
【００１５】
以下に、本考案の好適な実施形態（実施例）を添付図面に基づいて説明する。
【００１６】
図１〜図３は、それぞれ本考案の第１の実施形態に係る収納容器の斜視図と分解斜視図と側面図である。収納容器１０は、ケース１１と上蓋１２と上部固定具１３と下部固定具１４からなる。また、図１と図３には、端末装置としてゲーム機用コントローラ１５を収納した様子を示している。
【００１７】
ケース１１は、図２で示されるように上部が開口１６となっている円筒形の透明なプラスチックからできており、ゲーム機用コントローラ１５よりも大きい容積を持っている。また、ケース１１の上部には、切り欠き１７を設けている。上蓋１２は、ケース１１の直径より大きな直径を持つ円筒形の透明なプラスチックからできており、円筒の下部が開口１８となっており、切り欠き１９を有している。また、上蓋１２には、取っ手２０を設けている。下部固定具１４は、周囲の形状が円筒の一部をなしており、透明なプラスチックからできている。その円筒の直径は、ケース１１の円筒の直径よりいくらか小さく、ケース１１の底に納められる。また、上部固定具１３は、周囲の形状が円筒の一部をなしており、透明なプラスチックからできている。その円筒の直径は、ケース１１内に収めたときにコード１５ｃが通るくらいの隙間ができる程度にケース１１の円筒の直径より小さくしている。上部固定具１３と下部固定具１４は、それぞれ、凹部１３ａ，１４ａが設けられている。それらの凹部１３ａ，１４ａは、それぞれゲーム機用コントローラ１５の端部１５ａと端部１５ｂの形状に合わせて形成されており、端部１５ａ，１５ｂがはめ込まれるようになっている。
【００１８】
ゲーム機用コントローラ（以下、コントローラと言う）１５は、端部１５ｂが下部固定具１４の凹部１４ａにはめ込まれ、ケース１１内に収納され、その収納されたコントローラ１５の端部１５ａに上部固定具１３の凹部１３ａをはめ込まれて収納される。そのとき、コントローラ１５に接続されたコード１５ｃは、ケース１１の切り欠き１７を通し、また、上蓋１２の切り欠き１９をそのコード１５ｃを通すように上蓋１２でふたをする。それにより、コード１５ｃを図示しないゲーム機本体から外さずに収納容器１０に収納し保管することができる。
【００１９】
図４は、図３で示したＡ−Ａ線断面図である。ケース１１は、円筒形であり、上部にはコードを通すための切り欠き１７が設けられている。また、上蓋１２は、ケース１１より直径が大きい円筒状であり、コード１５ｃを通す切り欠き１９を有している。上部固定具１３は、ケース１１内でコントローラ１５を固定するためのものであり、円筒形のケース１１の直径よりも小さく、そのケース１１との隙間２１にコードが通せるようになっている。ケース１１内にコントローラ１５を収納し、コード１５ｃをケース１１と上部固定具１３との隙間２１を通し、ケース１１の切り欠き１７と上蓋１２の切り欠き１９の位置をほぼ一致させ、それらの切り欠き１７，１９をコード１５ｃが通るようにして収納する。
【００２０】
図５は、図４で示したＢ−Ｂ線断面図である。円筒形のケース１１の上部には切り欠き１７があり、上蓋１２には、切り欠き１９が設けられている。また、下部固定具１４は、円筒形のケース１１に内部で固定される程度の大きさである。上部固定具１３は、ケース１１よりも直径が小さい。コントローラ１５の端部１５ｂは、下部固定具１４の凹部１４ａにはめ込まれ、端部１５ａは上部固定具１３の凹部１３ａにはめ込まれ、ケース１１に収納される。また、コントローラ１５からのコード１５ｃは、上部固定具１３とケース１１との隙間２１を通し、ケース１１の上部の切り欠き１７と上蓋１２の切り欠き１９を通して外に出される。
【００２１】
次に、この収納容器の使用方法を図２を参照して説明する。コントローラ１５を収納するとき、ケース１１内に下部固定具１４を入れる。次に、下部固定具１４の凹部１４ａにコントローラ１５の端部１５ｂをはめ込んでケース１１内部に入れる。その後、上部固定具１３を凹部１３ａをコントローラ１５の端部１５ａをはめ込むようにかぶせてケース１１内に入れる。そのとき、コード１５ｃをケース１１と上部固定具１３との隙間２１を通し、ケース１１の上部の切り欠き１７を通して外部に出す。その後、上蓋１２を、切り欠き１９にコード１５ｃを挟むようにしてかぶせ収納する。これにより、コード１５ｃを図示しないゲーム機本体に接続したままコントローラ１５を収納容器１０に収納することができる。それで、コントローラ１５は、埃等をかぶらないで保管することができる。また、上部固定具１３とケース１１との間には、隙間２１があるために、コード１５ｃには負荷がかからず、コード１５ｃを傷つけることはない。
【００２２】
なお、本実施形態では、上部固定具１３の直径をコード１５ｃがケース１１との隙間２１を通すように、ケース１１の直径より小さくしているが、図６で示す別の上部固定具２２のように、上部固定具２２の側面に凹部２３を設け、その凹部２３とケース１１とが形成する隙間にコード１５ｃを通すようにしても良い。また、ケース１１と上蓋１２を円筒形のもので説明したが、円筒形に限らず、角柱状のものでもよい。
【００２３】
図７は、本考案の第２の実施形態に係る収納容器の斜視図である。収納容器３０は、端末装置（ここでは、例としてマウス３１を用いる）の大きさよりも大きいケース３２と、上蓋３３から成り、ケース３２と上蓋３３は、透明なプラスチックからなり、マウス３１の形状に合わせた形状を有している。また、ケース３２と上蓋３３は、コード３１ａを通す切り欠き３２ａと切り欠き３３ａをそれぞれ有している。この収納容器３０の使用方法は、まず、ケース３２内にマウス３１を収め、マウス３１からのコード３１ａをケース３２の切り欠き３２ａに通し、上蓋３３をコード３１ａを上蓋３３の切り欠き３３ａを通すようにふたをする。これにより、マウス３１を使用しないときに、コード３１ａを図示しないコンピュータ本体から外すことなく、マウス３１を埃がかぶることなく収納、保管することができる。
【００２４】
図８は、本考案の第３の実施形態に係る収納容器の斜視図である。収納容器４０は、端末装置（ここでは、例としてキーボード４１を用いる）の大きさよりも大きいケース４２と、上蓋４３から成り、ケース４２と上蓋４３は、透明なプラスチックからなり、キーボード４１の形状に合わせた形状を有している。ケース４２と上蓋４３は、コード４１ａを通す切り欠き４２ａと切り欠き４３ａをそれぞれ有している。この収納容器４０の使用方法は、まず、ケース４２内にキーボード４１を収め、キーボード４１からのコード４１ａをケース４２の切り欠き４２ａに通し、上蓋４３をコード４１ａを上蓋４３の切り欠き４３ａを通すようにふたをする。これにより、キーボード４１を使用しないときに、コード４１ａを図示しないコンピュータ本体から外すことなく、キーボード４１を埃がかぶることなく収納、保管することができる。
【００２５】
以上の実施形態で説明された構成、形状、大きさおよび配置関係については本考案が理解・実施できる程度に概略的に示したものにすぎず、また数値および各構成の組成（材質）については例示にすぎない。従って本考案は、説明された実施形態に限定されるものではなく、実用新案登録請求の範囲に示される技術的思想の範囲を逸脱しない限り様々な形態に変更することができる。
【産業上の利用可能性】
【００２６】
本考案は、ゲーム機用コントローラやマウスやキーボードなどの端末装置をゲーム機本体やコンピュータ本体とコードを接続したまま収納、保管することができる端末装置の収納容器として利用することができる。
【図面の簡単な説明】
【００２７】
【図１】本考案の第１の実施形態に係る収納容器の斜視図である。
【図２】本考案の第１の実施形態に係る収納容器の分解斜視図である。
【図３】本考案の第１の実施形態に係る収納容器の側面図である。
【図４】図３で示したＡ−Ａ線断面図である。
【図５】図４で示したＢ−Ｂ線断面図である。
【図６】上部固定具の変形例を示す斜視図である。
【図７】本考案の第２の実施形態に係る収納容器の斜視図である。
【図８】本考案の第３の実施形態に係る収納容器の斜視図である。
【符号の説明】
【００２８】
１０      収納容器
１１      ケース
１２      上蓋
１３      上部固定具
１４      下部固定具
１５      ゲーム機用コントローラ
１６      開口
１７      切り欠き
１８      開口
１９      切り欠き
２０      取っ手
２１      隙間
【図１】
0003119113.tif 000003
【図２】
0003119113.tif 000004
【図３】
0003119113.tif 000005
【図４】
0003119113.tif 000006
【図５】
0003119113.tif 000007
【図６】
0003119113.tif 000008
【図７】
0003119113.tif 000009
【図８】
0003119113.tif 000010
【手続補正書】
【提出日】平成17年12月7日(2005.12.7)
【手続補正１】
【補正対象書類名】図面
【補正対象項目名】全図
【補正方法】変更
【補正の内容】
【図１】
0003119113.tif 000011
【図２】
0003119113.tif 000012
【図３】
0003119113.tif 000013
【図４】
0003119113.tif 000014
【図５】
0003119113.tif 000015
【図６】
0003119113.tif 000016
【図７】
0003119113.tif 000017
【図８】
0003119113.tif 000018